(57)【要約】  電子デバイスを保持するためのシステムが、本体と、電子デバイスを本体に接続するための接続デバイスであって、その少なくとも一部分が本体に取り付けられる接続デバイスと、を含む。システムは、上部および下部を有するクリップをさらに含み、クリップは、本体に取り付けられる。システムは、本体内に配向されかつクリップと連通するカムレバーをさらに含み、カムレバーは、第１の位置および第２の位置を有し、第１の位置は、カムレバーがクリップと係合しないことを特徴とし、第２の位置は、カムレバーがクリップと係合して、クリップの上部および下部を押し合わせることを特徴とする。【選択図】図１
2017528371.tif 000002
【特許請求の範囲】
【請求項１】
電子デバイスを保持するためのシステムであって、
本体と、
電子デバイスを前記本体に接続するための接続デバイスであって、前記接続デバイスの少なくとも一部分が前記本体に取り付けられる接続デバイスと、
上部および下部を有し、前記本体に取り付けられる、クリップと、
前記本体内に配向されかつ前記クリップと連通するカムレバーであって、第１の位置および第２の位置を有し、前記第１の位置が、前記カムレバーが前記クリップと係合しないことを特徴とし、前記第２の位置が、前記カムレバーが前記クリップと係合して前記クリップの前記上部および前記下部を押し合わせることを特徴とする、カムレバーと、
を備える、システム。
【請求項２】
前記カムレバーが、前記本体に相互接続された枢支点に取り付けられ、前記枢支点の周りに回転する前記カムレバーが、前記カムレバーの第１の側面が前記カムレバーの第２の側面よりも短い距離だけ前記枢支点から延在するように、非対称形状とされ、前記第２の位置では、前記第２の側面が前記クリップを押し、前記第１の位置では、前記第１の側面が前記クリップに接触する、請求項１に記載のシステム。
【請求項３】
前記クリップが、Ｖ字形状を有し、前記Ｖ字形状の交点が、前記本体内に配置され、前記上部および前記下部が、前記Ｖ字形状の端部に配置される、請求項２に記載のシステム。
【請求項４】
前記上部および前記下部が、前記Ｖ字形状の前記交点に近接した前記クリップよりも幅広である、請求項３に記載のシステム。
【請求項５】
前記クリップの前記上部および前記下部が、自動車の通気システムと係合するために相補的に距離を置いて位置決めされる、請求項４に記載のシステム。
【請求項６】
前記クリップの前記上部および前記下部が、通気口の垂直羽根板と係合するための切抜き部分を含む、請求項５に記載のシステム。
【請求項７】
前記上部および前記下部が、ゴム引き被覆を含む、請求項６に記載のシステム。
【請求項８】
前記カムレバーが、前記クリップが前記通気システムと係合するときに、前記カムレバーが留め具として機能して前記通気システムの羽根板が閉じるのを防ぐように、前記本体に対して位置決めされる、請求項６に記載のシステム。
【請求項９】
前記取付けデバイスが、半円形部分を含む、請求項８に記載のシステム。
【請求項１０】
前記半円形部分が、中空のボールの一部分である、請求項９に記載のシステム。
【請求項１１】
前記取付けデバイスが、取り外し可能なプレートを含み、前記取り外し可能なプレートが、磁化可能な材料を含み、前記半円形部分が、磁化可能な材料を含み、前記取り外し可能なプレートが、磁力を介して前記半円形部分に取り外し可能に取り付けられる、請求項１０に記載のシステム。
【請求項１２】
前記取り外し可能なプレートおよび前記半円形部分のうちの一方が、磁石を含む、請求項１１に記載のシステム。
【請求項１３】
前記取り外し可能なプレートが、前面を有し、前記前面が、くぼみを有し、前記くぼみが、前記半円形セクションの湾曲した端部を受け入れることができ、かつ、前記半円形セクションの前記湾曲した端部の全直径に満たない一部分を包囲することができるサイズとされ、前記取り外し可能なプレートが、高摩擦エラストマ材料の第１の部品を含み、前記高摩擦エラストマ材料の第１の部品が、前記取り外し可能なプレートの前記くぼみ内に配置され、前記磁化可能な材料が前記高摩擦エラストマ材料の第１の部品を取り囲むように前記取り外し可能なプレートの前記磁化可能な材料が位置決めされる、請求項１２に記載のシステム。
【請求項１４】
高摩擦エラストマ材料の第２の部品が、前記磁化可能な材料を取り囲む、請求項１３に記載のシステム。
【請求項１５】
水平および垂直の羽根板を有する通気口を含む換気システムを備えた乗物における、電子デバイスを取り付けるためのシステムであって、
本体と、
電子デバイスを前記本体に接続するための接続デバイスであって、前記接続デバイスの少なくとも一部分が前記本体に取り付けられる接続デバイスと、
上部および下部を有し、前記本体に取り付けられるクリップであって、Ｖ字形状を有し、前記Ｖ字形状の交点が、前記本体内に配置され、前記上部および前記下部が、前記Ｖ字形状の端部に配置され、前記上部および前記下部が、前記Ｖ字形状の前記交点に近接した前記クリップよりも幅広である、クリップと、
前記本体内に配向されかつ前記クリップと連通するカムレバーであって、第１の位置および第２の位置を有し、前記第１の位置が、前記カムレバーが前記クリップと係合しないことを特徴とし、前記第２の位置が、前記カムレバーが前記クリップと係合して、前記クリップの前記上部および前記下部を押し合わせて前記通気口の水平羽根板を挟持することを特徴とする、カムレバーと、
を備える、システム。
【請求項１６】
前記クリップの前記上部および前記下部が、自動車の通気システムと係合するために相補的に距離を置いて位置決めされる、請求項１５に記載のシステム。
【請求項１７】
前記クリップの前記上部および前記下部が、通気口の垂直羽根板と係合するための切抜き部分を含む、請求項１６に記載のシステム。
【請求項１８】
前記取付けデバイスが、半円形部分を含み、前記取付けデバイスが、取り外し可能なプレートを含み、前記取り外し可能なプレートが、磁化可能な材料を含み、前記半円形部分が、磁化可能な材料を含み、前記取り外し可能なプレートが、磁力を介して前記半円形部分に取り外し可能に取り付けられる、請求項１７に記載のシステム。
【請求項１９】
前記取り外し可能なプレートおよび前記半円形部分のうちの一方が、磁石を含む、請求項１８に記載のシステム。
【請求項２０】
前記取り外し可能なプレートが、前面を有し、前記前面が、くぼみを有し、前記くぼみが、前記半円形セクションの湾曲した端部を受け入れることができ、かつ、前記半円形セクションの前記湾曲した端部の全直径に満たない一部分を包囲することができるサイズとされ、前記取り外し可能なプレートが、高摩擦エラストマ材料の第１の部品を含み、前記高摩擦エラストマ材料の第１の部品が、前記取り外し可能なプレートの前記くぼみ内に配置され、前記磁化可能な材料が前記高摩擦エラストマ材料の第１の部品を取り囲むように前記取り外し可能なプレートの前記磁化可能な材料が位置決めされる、請求項１９に記載のシステム。
【請求項２１】
高摩擦エラストマ材料の第２の部品が、前記磁化可能な材料を取り囲む、請求項２０に記載のシステム。
【請求項２２】
電子デバイスを通気口に取り付ける方法であって、前記方法が、
電子デバイスを取り付けるためのシステムを用意するステップであって、前記システムが、
本体と、
電子デバイスを前記本体に接続するための接続デバイスであって、前記接続デバイスの少なくとも一部分が前記本体に取り付けられる接続デバイスと、
上部および下部を有し、前記本体に取り付けられるクリップであって、Ｖ字形状を有し、前記Ｖ字形状の交点が、前記本体内に配置され、前記上部および前記下部が、前記Ｖ字形状の端部に配置され、前記上部および前記下部が、前記Ｖ字形状の前記交点に近接した前記クリップよりも幅広である、クリップと、
前記本体内に配向されかつ前記クリップと連通するカムレバーであって、第１の位置および第２の位置を有し、前記第１の位置が、前記カムレバーが前記クリップと係合しないことを特徴とし、前記第２の位置が、前記カムレバーが前記クリップと係合して、前記クリップの前記上部および前記下部を押し合わせて挟持することを特徴とする、カムレバーと、
を備える、システムを用意するステップと、
前記クリップの前記上部および前記下部を前記通気口の水平の通気口羽根板の両面上に配置するステップと、
前記カムレバーを前記第１の位置から前記第２の位置へ回転させるステップと、
前記水平の通気口羽根板を挟持するステップと、
を含む、方法。
【請求項２３】
前記取付けデバイスの一部分である取り外し可能なプレートを前記電子デバイスに取り付けるステップと、
半円形部分を前記取り外し可能なプレートに係合させるステップであって、前記取付けデバイスが、前記半円形部分を含み、前記取り外し可能なプレートが、磁化可能な材料を含み、前記半円形部分が、磁化可能な材料を含み、前記取り外し可能なプレートが、磁力を介して前記半円形部分に取り外し可能に取り付けられる、ステップと、
をさらに含む、請求項２２に記載の方法。
【発明の詳細な説明】
【背景技術】
【０００１】
スマートフォンを含む電子デバイスは、至る所で目にするようになってきて、ユーザにナビゲーション、情報、および娯楽のための様々なツールを提供している。これらのデバイスは、ユーザがデバイスを直接保持または操作していないときでさえ、音声情報および視覚情報をユーザに送達することができる。ユーザは、電子デバイスまたはスマートフォンから情報を受け取るのと同時に、自動車または他の乗物などの他のものを操作したいと望む場合がある。電子デバイスから情報を受け取るために、デバイスは、ユーザがデバイスを見ることができるように配向されることを必要とし得る。したがって、デバイスのためのホルダが望ましい。
【発明の概要】
【課題を解決するための手段】
【０００２】
１つの実施形態では、電子デバイスを保持するためのシステムが、本体と、電子デバイスを本体に接続するための接続デバイスであって、その少なくとも一部分が本体に取り付けられる接続デバイスと、を含む。システムは、上部および下部を有するクリップをさらに含み、クリップは、本体に取り付けられる。システムは、本体内に配向されかつクリップと連通するカムレバーをさらに含み、カムレバーは、第１の位置および第２の位置を有し、第１の位置は、カムレバーがクリップと係合しないことを特徴とし、第２の位置は、カムレバーがクリップと係合して、クリップの上部および下部を押し合わせることを特徴とする。場合により、カムレバーは、本体に相互接続された枢支点に取り付けられ、また、前記枢支点の周りに回転するカムレバーは、カムレバーの第１の側面がカムレバーの第２の側面よりも短い距離だけ枢支点から延在するように非対称形状とされ、第２の位置では、第２の側面がクリップを押し、第１の位置では、第１の側面がクリップに接触する。１つの構成では、クリップは、Ｖ字形状を有し、Ｖ字形状の交点は、本体内に配置され、上部および下部は、Ｖ字形状の端部に配置される。場合により、上部および下部は、Ｖ字形状の交点に近接したクリップよりも幅広である。あるいは、クリップの上部および下部は、自動車の通気システムと係合するために相補的に距離を置いて位置決めされる。１つの代替形態では、クリップの上部および下部は、通気口の垂直羽根板と係合するための切抜き部分を含む。場合により、上部および下部は、ゴム引き被覆を含む。あるいは、取付けデバイスは、半円形部分を含む。場合により、取付けデバイスは、取り外し可能なプレートを含み、取り外し可能なプレートは、磁化可能な材料を含み、半円形部分は、磁化可能な材料を含み、取り外し可能なプレートは、磁力を介して半円形部分に取り外し可能に取り付けられる。１つの構成では、取り外し可能なプレートおよび半円形部分のうちの一方が、磁石を含む。別の構成では、取り外し可能なプレートは、前面を有し、前述の前面は、くぼみを有し、前述のくぼみは、半円形セクションの湾曲した端部を受け入れることができ、かつ、半円形セクションの湾曲した端部の全直径に満たない一部分を包囲することができるサイズとされ、取り外し可能なプレートは、高摩擦エラストマ材料の第１の部品を含み、高摩擦エラストマ材料の第１の部品は、前述の取り外し可能なプレートのくぼみ内に配置され、取り外し可能なプレートの磁化可能な材料は、高摩擦エラストマ材料の第１の部品を取り囲むように位置決めされる。場合により、高摩擦エラストマ材料の第２の部品が、磁化可能な材料を取り囲む。
【０００３】
別の実施形態では、通気換気システムを有する乗物における、電子デバイスを取り付けるためのシステムは、水平および垂直の羽根板を有する通気口を備え、システムは、本体と、電子デバイスを本体に接続するための接続デバイスであって、その少なくとも一部分が本体に取り付けられる接続デバイスと、を含む。システムは、上部および下部を有するクリップをさらに含み、クリップは本体に取り付けられる。クリップは、Ｖ字形状を有し、Ｖ字形状の交点が、本体内に配置され、上部および下部は、Ｖ字形状の端部に配置され、上部および下部は、Ｖ字形状の交点に近接したクリップよりも幅広である。システムは、本体内に配向されかつクリップと連通するカムレバーをさらに含み、カムレバーは、第１の位置および第２の位置を有し、第１の位置は、カムレバーがクリップと係合しないことを特徴とし、第２の位置は、カムレバーがクリップと係合して、クリップの上部および下部を押し合わせて通気口の水平羽根板を挟持することを特徴とする。場合により、クリップの上部および下部は、自動車の通気システムと係合するために相補的に距離を置いて位置決めされる。あるいは、クリップの上部および下部は、通気口の垂直羽根板と係合するための切抜き部分を含む。場合により、カムレバーは、クリップが通気システムに係合するときにカムレバーが留め具として機能して通気システムの羽根板が閉じるのを防ぐように、本体に対して位置決めされる。１つの構成では、半円形部分は、中空のボールの一部分である。場合により、取付けデバイスは、半円形部分を含み、また、取付けデバイスは、取り外し可能なプレートを含み、取り外し可能なプレートは、磁化可能な材料を含み、半円形部分は、磁化可能な材料を含み、取り外し可能なプレートは、磁力を介して半円形部分に取り外し可能に取り付けられる。１つの構成では、取り外し可能なプレートおよび半円形部分のうちの一方は、磁石を含む。１つの代替形態では、取り外し可能なプレートは、前面を有し、前述の前面は、くぼみを有し、前述のくぼみは、半円形セクションの湾曲した端部を受け入れることができ、かつ、半円形部分の湾曲した端部の全直径に満たない一部分を包囲することができるサイズとされ、取り外し可能なプレートは、高摩擦エラストマ材料の第１の部品を含み、高摩擦エラストマ材料の第１の部品は、前述の取り外し可能なプレートのくぼみ内に配置され、取り外し可能なプレートの磁化可能な材料は、高摩擦エラストマ材料の第１の部品を取り囲むように位置決めされる。別の代替形態では、高摩擦エラストマ材料の第２の部品が、磁化可能な材料を取り囲む。
【０００４】
１つの実施形態では、電子デバイスを通気口に取り付ける方法が、電子デバイスを取り付けるためのシステムを用意するステップを含み、このシステムは、本体と、電子デバイスを本体に接続するための接続デバイスであって、その少なくとも一部分が本体に取り付けられる接続デバイスと、を含む。システムは、上部および下部を有するクリップをさらに含み、クリップは、本体に取り付けられる。クリップは、Ｖ字形状を有し、Ｖ字形状の交点が、本体内に配置され、上部および下部は、Ｖ字形状の端部に配置され、また、上部および下部は、Ｖ字形状の交点に近接したクリップよりも幅広である。システムは、本体内に配向されかつクリップと連通するカムレバーをさらに含み、カムレバーは、第１の位置および第２の位置を有し、第１の位置は、カムレバーがクリップと係合しないことを特徴とし、第２の位置は、カムレバーがクリップと係合して、クリップの上部および下部を押し合わせて挟持することを特徴とする。方法は、クリップの上部および下部を通気口の水平の通気口羽根板の両面上に配置するステップをさらに含む。方法は、カムレバーを第１の位置から第２の位置へ回転させるステップと、水平の通気口羽根板を挟持するステップとをさらに含む。場合により、方法は、取付けデバイスの一部分である取り外し可能なプレートを電子デバイスに取り付けるステップと、半円形部分を取り外し可能なプレートに係合させるステップとを含む。取付けデバイスは、半円形部分を含み、取り外し可能なプレートは、磁化可能な材料を含み、半円形部分は、磁化可能な材料を含み、取り外し可能なプレートは、磁力を介して半円形部分に取り外し可能に取り付けられる。
【図面の簡単な説明】
【０００５】
【図１】通気口取付け式電子デバイスホルダの１つの実施形態の斜視図である。
【図２】図１の通気口取付け式デバイスホルダの分解組立図である。
【図３】図１の通気口取付け式電子デバイスホルダのクリップの詳細な斜視図である。
【図４】図１の通気口取付け式デバイスホルダのカムレバーの詳細な斜視図である。
【図５】図１の通気口取付け式デバイスホルダの本体の破断斜視図である。
【図６】使用時の図１の通気口取付け式デバイスホルダの斜視図である。
【発明を実施するための形態】
【０００６】
通気口取付け式電子デバイスホルダの実施形態は、一般に、乗物の通気口または他の領域への取付けのための取付け端部と、電子デバイスを通気口取付け式電子デバイスに接続するための接続端部とを含む。多くの実施形態では、取付け端部は、乗物の通気口を挟持するクランプ（またはクリップ）部分を含む。クランプ部分は、乗物の冷暖房を実現するほとんどの自動車の通気口への容易な取付けのために、特別なサイズおよび形状とされる。多くの実施形態では、接続端部は、電子デバイスへの取付けのための磁気接続デバイスを含む。様々な代替形態においては、他の相互接続デバイスが使用され得る。
【０００７】
図１は、通気口取付け式電子デバイスホルダ１００の１つの実施形態の斜視図を示す。この図では、クリップ１３０の上部１１０および下部１２０が見られる。クリップ１３０の上部１１０と下部１２０との間の距離は、いくつかの実施形態では、通気口にぴったり合うように最適化され得る。通気口の羽根板は、おおよそ１〜５ｍｍの厚さであるので、デバイスは、そのような厚さへの把持力を提供するように適応され、かつ、そのような厚さから取り外し可能とされる。一般に、クリップ部分は、乗物の通気口への取付けのために使用される。カムレバー１３５が、通気口へのクリップ１３０の保持を強化するために使用される。クリップ１３０は、本体部分１４０Ａ、Ｂに相互接続される。反対側の端部では、半円形部分１４５が、電子デバイスへの取付けのために使用される。カムレバー１３５はまた、動作時には、本体部分１４０Ａ、Ｂから離れる方向に延在する。この構成では、通気口取付け式電子デバイスホルダ１００が通気口に係合するときに、カムレバー１３５は、留め具レバーとして機能することにより、通気口の羽根板がさらに傾くこと、および通気口が閉じることを防ぐことができる。半円形部分１４５は、典型的には金属で作られ、また、磁力を帯びることができるか、または、磁力を帯びることができるコアもしくはコア直下の層を含む。半円形部分１４５は、中空であってもよく、または、いくつかの実施形態では中実とされる場合もある。いくつかの実施形態では、通気口から離れる方向に延在するデバイスの部分がレバーアームとして働き、そのレバーアームの端部の重量の影響が通気口にかかる力を増大させ得るときに、ボールの中空の性質により、通気口取付け式電子デバイスホルダ１００によって加えられるトルクが制限される。動作にあたっては、半円形部分は、磁化可能な丸みのある表面を提供する。半円形部分１４５は、円形磁石１５５と内側および外側の高摩擦材料１６０、１６５とを含む磁気リング部品１５０と相互作用するように設計される。磁気リング部品は、電子デバイスの表面への取付けのための粘着性背面または他の手段を含む本体１７０に取り付けられる。あるいは、半円形部分１４５は、磁気リング部品１５１と相互作用してもよい。この磁気リング部品１５１は、本体１７１に取り付けられた円形磁石１５５および内側高摩擦材料１６０を含み、本体１７１は、電子デバイスの表面への取付けのための粘着性背面または他の手段を含む。磁気リング部品１５１は、外側高摩擦材料を省略する。これらの磁気リング部品および通気口取付け式電子デバイスホルダ１００は、様々な相対的サイズ、および示されたサイズとは異なるサイズで作られてもよく、また、示された全ての部品は、一定の縮尺とは限らない。
【０００８】
図２は、通気口取付け式電子デバイスホルダ１００の分解組立図を示す。半円形部分１４５は、本体部分１４０Ａ、Ｂと一体化するものとして、切り離されて示されている。本体部分１４０Ａ、Ｂは、かみ合う形で組み合わさりかつねじ２１０を使用して結合される２つの部品に分割されているものとして示されている。ねじ２１０はまた、カムレバー１３５およびスペーサ２２０と相互接続する働きをする。クリップ１３０は、曲り部分を含むことが明白に分かる。ねじ２４０が、穴２４５を貫通して、本体部分１４０Ａ、Ｂへの半円形部分１４５の取付けを実現する。動作にあたっては、ユーザはカムレバー１３５を回転させ、それが、カムレバー１３５のその形状およびその回転軸により、レバーをクリップ１３０に対して圧迫することになり、クリップ１３０に上部１１０と下部１２０との間にある何かを把持させる。上部１１０および下部１２０はまた、通気口の把持を向上させるために、ゴム引き被覆を含む。多くの構成において、半円形の形状は、重量、およびクリップが相互接続デバイスにかかるてこ力（ｌｅｖｅｒｅｄ  ｆｏｒｃｅ）を減少させるために、くりぬかれる。代替形態では、クリップ１３０は、カムレバーによって制御される代わりにばねで留められるか、または、他の様々な方法で通気口の羽根板に圧力を与えるように適応され得る。
【０００９】
図３は、クリップ１３０の拡大図を示す。この図では、ゴム引き被覆３１０が明白に分かる。多くの実施形態において、ゴム引き被覆１３０は、オーバモールド手順を介して適用される。これらの被覆は、４０ショアＡのデュロメータを有し得る。これらの被覆は、通気口の羽根板へのクリップの把持を向上させる。通気口にたびたび含まれる垂直羽根板に対応するために、間隙３２０が含まれる。
【００１０】
図４は、カムレバー１３５を詳細な図で示す。カムレバー１３５は、動作にあたって、開口４１０の周りに回転する。カムレバー１３５は、本体部分１３０上の枢支点のまわりで枢動する開口４１０に関して、対称的な形状とされていない。代わりに、側面４２０は、側面４３０と比較して、開口４１０の中心から短い距離延在する。したがって、動作にあたって、側面４２０がクリップ１３０に係合すると、側面４３０がクリップ１３０に係合したときと比較して少ない圧力がクリップに加えられる。さらに、丸みを帯びた隅部４４０が、開口４１０の中心からさらに長い距離突出する。したがって、動作にあたって、ユーザがカムレバー１３５を係合する側面４２０から係合する側面４３０へ回転させるときに、隅部４４０は乗り越えられなければならず、また、隅部４４０は、かなりの量の圧力が加えられない限り、カムレバー１３５が回転して側面４２０に戻るのを防いで、カムレバーを所定の位置に効果的にロックする。カムレバー１３５は、ポリカーボネートで作られてもよい。いくつかの実施形態では、クリップ１３０に接触して回転するのを容易にするために、カムレバー１３５に潤滑油が塗布され得る。
【００１１】
図５は、本体部分１４０Ａの破断図を示す。内側のくりぬかれた部分、本体部分１４０Ａは、カムレバー１３５を取り付けるための開口５１０を含む。本体部分１４０Ａは、半円形部分１４５を取り付けるためのねじ穴５２０をさらに含む。半円形部分１４５を支持するために、突出部５３０が本体部分１４０Ａから延在する。本体部分１４０Ａはまた、カムレバー１３５のための切抜き部５４０、およびクリップ１３０のための切抜き部を含む。
【００１２】
図６は、動作時の通気口取付け式電子デバイスホルダ１００を示す斜視図である。ディスク１５０が、半円形部分１４５を介して通気口取付け式電子デバイスホルダ１００に取り付けられる。ディスク１５０は、電子デバイスまたは他の物体に付着する、粘着性背面を含む。ディスク１５０は、あるいは、電子デバイスまたは任意の他の物体のためのケースに組み込まれてもよい。示された実施形態では、ディスク１５０は、磁石を含み、半円形部分１４５は、磁石に引き付けられる金属で構成される。
【００１３】
動作にあたっては、通気口取付け式電子デバイスホルダ１００のクリップ１３０は、乗物の換気システムの通気口羽根板に係合する。クリップ１３０は、カムレバー１３５に圧力を加えるばねとして機能する。クリップ１３０が羽根板に係合されると、カムレバー１３５は回転されることが可能になり、カムレバー１３５は、開口４１０に対するカムレバー１３５の非対称形状に起因して、クリップ１３０に圧力を加える。このようにして、クリップ１３０は、通気口羽根板を把持する。デバイスは乗物の通気口と相補的に機能するように設計されているが、クリップ１３０は、任意の物体に取り付けられてよい。代替実施形態では、通気口取付け式電子デバイスホルダ１００は、クリップを別の物体に取り付けることにより、スタンドとして使用され得る。場合により、通気口取付け式電子デバイスホルダ１００のクリップ１３０およびカムレバー１３５の部分は、さらにスタンドの基部を形成してもよい。
【００１４】
上述の詳細な説明は、通気口取付け式電子デバイスホルダのためのシステムおよび方法を実施するための少数の実施形態に関するものであり、範囲を限定するように意図されたものではない。以下の特許請求の範囲は、開示された通気口取付け式電子デバイスホルダのシステムおよび方法の多くの実施形態をより詳細に説明する。
【図１】
2017528371.tif 000003
【図２】
2017528371.tif 000004
【図３】
2017528371.tif 000005
【図４】
2017528371.tif 000006
【図５】
2017528371.tif 000007
【図６】
2017528371.tif 000008
【国際調査報告】
2017528371.tif 000009